(57)【要約】      （修正有）【課題】任意の広さの屋内における、微気候の、順応的かつ安定的管理のための屋内微気候管理システムを提供する。【解決手段】屋内微気候管理システム３００は、少なくとも一つ以上のプロセッサーを含む自動周波数制御装置モジュール３０１、通信制御プロトコルＴＣＰのデータパケット及びブルートゥースプロトコルのデータパケットを一つ以上の遠隔制御装置に伝送する一つ以上の遠隔無線通信モジュール３０２、および、生成された、ＴＣＰプロトコルの管理データパケット又は生成された、ブルートゥース・プロトコルの管理データパケットを、少なくとも一つの遠隔無線通信モジュール３０２へ伝送する一つ以上の遠隔制御装置３０３を含む。【選択図】図３
0003214776.tif 000002
【実用新案登録請求の範囲】
【請求項１】
少なくとも一つ以上のプロセッサーを含む自動周波数制御装置モジュールであって、一つ以上の遠隔無線通信モジュールにデータを伝送する産業用データ伝送プロトコルに従って、微気候管理システムのステータスデータパケットの生成及び伝送ができるように製作された自動周波数制御装置モジュール、
自動周波数制御装置モジュールから受信されたデータパケットを含む、通信制御プロトコルＴＣＰのデータパケット及びブルートゥースプロトコルのデータパケットを生成し、生成されたＴＣＰデータパケット及びブルートゥース・プロトコルのデータパケットを無線通信ラインによって、一つ以上の遠隔制御装置に伝送できるように製作された、一つ以上の遠隔無線通信モジュール、および、
ＴＣＰプロトコルの前記データパケット又はブルートゥース・プロトコルの前記データパケットを受信でき、前記ＴＣＰプロトコルのデータパケット又は前記ブルートゥース・プロトコルのデータパケットを屋内微気候管理システムのステータスデータを抽出するために解凍することができ、ＴＣＰプロトコルの管理データパケット又はブルートゥース・プロトコルの管理データパケットを生成することができ（その際、生成された、ＴＣＰプロトコルのデータパケット及び生成された、ブルートゥース・プロトコルのデータパケットは、屋内微気候管理システムの管理データパケットを含む）、生成された、ＴＣＰプロトコルの管理データパケット又は生成された、ブルートゥース・プロトコルの管理データパケットを、少なくとも一つの遠隔無線通信モジュールへ伝送することできるように製作された一つ以上の遠隔制御装置を含む、屋内微気候管理システムであって、
それぞれの無線通信モジュールは、遠隔制御装置から受け取られた、ＴＣＰプロトコルの管理データパケット及びブルートゥース・プロトコルの管理データパケットを、屋内微気候管理システムの管理データパケットを抽出するために解凍することができ、屋内微気候管理システムの前記管理データパケットを、産業用データ伝送プロトコルに従って、自動周波数制御装置モジュールへ伝送できるように製作されており、
自動周波数制御装置モジュールの一つ以上のプロセッサーは、少なくとも一つの遠隔無線通信モジュールから受け取られた、微気候管理システムの管理データを抽出するためにデータパケットを解凍することができ、屋内微気候管理システムの作動条件を変更するための制御信号を生成することができるように製作されていることを特徴とする屋内微気候管理システム。
【請求項２】
前記遠隔無線通信モジュールの少なくとも一つが、一つ又はそれ以上の前記遠隔制御装置を認証することができるように製作されていることを特徴とする、請求項１に記載の屋内微気候管理システム。
【請求項３】
前記遠隔無線通信モジュールのうちの少なくとも一つに、少なくとも一つの遠隔制御装置を自動周波数制御装置モジュールと同期化させることができるような補足製作がなされていることを特徴とする、請求項２に記載の屋内微気候管理システム。
【請求項４】
前記遠隔無線通信モジュールのうちの少なくとも一つに、遠隔無線通信モジュールに接続された全ての遠隔制御装置相互間の同期化を可能にするような補足製作がなされていることを特徴とする、請求項３に記載の屋内微気候管理システム。
【請求項５】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＮＥＴ、ＬＯＮ、ＬＯＮＷＯＲＫＳ、ＬＯＮＴＡＬＫ、ＢＩＢ、ＤＡＬＩからなるグループの中から選択されていることを特徴とする、請求項１から請求項４のいずれか１項に記載の屋内微気候管理システム。
【請求項６】
少なくとも一つまたはそれ以上のプロセッサーを含む自動周波数制御装置モジュールであって、前記周波数制御装置モジュールは、産業用データ伝送プロトコルに従って、屋内微気候管理システムのステータスデータを含むデータパケットを生成し、一つ又はそれ以上の遠隔無線通信モジュールへ伝送できるように製作されている、自動周波数制御装置モジュール、
ブルートゥース・プロトコルのデータパケット（それには自動周波数制御装置モジュールから受け取られたデータパケットも含まれる）を生成でき、生成された、 ブルートゥース・プロトコルのデータパケットを、無線通信ラインによって、遠隔制御装置の一つに伝送できるように製作された、一つ又はそれ以上の遠隔無線通信モジュール、および、
ブルートゥース・プロトコルの前記データパケットを受信することができ、ブルートゥース・プロトコルの前記データパケットを、屋内微気候管理システムのステータスデータを抽出するために解凍することができ、ブルートゥース・プロトコルの制御データパケット（生成された、ブルートゥース・プロトコルのデータパケットには、屋内微気候管理システムを管理するデータパケットも含まれる）を生成することができ、生成された、ブルートゥース・プロトコルの制御データパケットを、少なくとも一つの遠隔無線通信モジュールに伝送することができる一つ又はそれ以上の遠隔制御装置を含む、屋内微気候管理システムであって、
それぞれの無線通信モジュールは、遠隔制御装置から受け取られたブルートゥース・プロトコルの制御データパケットを、屋内微気候管理システムのステータスデータを抽出するために解凍することができ、屋内微気候管理システムを管理する、前記データパケットを、産業用データ伝送プロトコルに従って自動周波数制御装置モジュールに伝送することができるように製作されており、
自動周波数制御装置モジュールの一つ又はそれ以上のプロセッサーは、少なくとも一つの遠隔無線通信モジュールから受け取られたデータパケットを、微気候管理システムの管理データを抽出するために解凍することができ、屋内微気候管理システムの作動条件を変えるための制御信号を生成することができるように製作されていることを特徴とする屋内微気候管理システム。
【請求項７】
前記遠隔無線通信モジュールのうちの少なくとも一つが、前記遠隔制御装置の一つを認証できるように製作されていることを特徴とする、請求項６に記載の屋内微気候管理システム。
【請求項８】
前記遠隔無線通信モジュールのうちの少なくとも一つに、少なくとも一つの遠隔制御装置を自動周波数制御装置モジュールと同期化させることができるような補足製作がなされていることを特徴とする、請求項７に記載の屋内微気候管理システム。
【請求項９】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＮＥＴ、ＬＯＮ、ＬＯＮＷＯＲＫＳ、ＬＯＮＴＡＬＫ、ＢＩＢ、ＤＡＬＩからなるグループの中から選択されていることを特徴とする、請求項６から請求項８までのいずれか１項に記載の屋内微気候管理システム。
【請求項１０】
少なくとも一つ又はそれ以上のプロセッサーを含む自動周波数制御装置モジュールであって、前記自動周波数制御装置モジュールは、産業用データ伝送プロトコルに従って、屋内微気候管理システムのステータスデータを生成し、一つ又はそれ以上の遠隔無線通信モジュールにそのデータを伝送できるように製作されている自動周波数制御装置モジュール、
ＴＣＰプロトコルのデータパケット（これには、自動周波数制御装置モジュールから受け取られたデータパケットが含まれる）を生成することができ、生成された、ＴＣＰプロトコルのデータパケットを、無線通信ラインによって、一つ又はそれ以上の遠隔制御装置に伝送することができるように製作されている、一つ又はそれ以上の遠隔無線通信モジュール、および、
前記ＴＣＰプロトコルのデータパケットを受信することができ、屋内微気候管理システムのステータスデータを抽出するために、前記ＴＣＰプロトコルのデータパケットを解凍することができ、ＴＣＰプロトコルの制御データパケットを生成することができ（生成されたＴＣＰプロトコルのデータパケットには、屋内微気候管理システムを管理するデータパケットも含まれている）、生成された、ＴＣＰプロトコルの制御データパケットを、少なくとも一つの遠隔無線通信モジュールへ伝送することができる一つ又はそれ以上の遠隔制御装置を含む、屋内微気候管理システムであって、
それぞれの無線通信モジュールは、遠隔制御装置から受け取られた、ＴＣＰプロトコルの制御データパケットを、屋内微気候管理システムを管理するデータパケットを抽出するために解凍することができ、屋内微気候管理システムを管理する前記データパケットを、産業用データ伝送プロトコルに従って、自動周波数制御装置モジュールへ伝送することができるように製作されており、
自動周波数制御装置モジュールの一つ又はそれ以上のプロセッサーが、微気候管理システムの管理データを抽出するために、少なくとも一つの遠隔無線通信モジュールから受け取られたデータパケットを解凍することができ、屋内微気候管理システムの作動条件を変えるための制御信号を生成することができるように製作されていることを特徴とする屋内微気候管理システム。
【請求項１１】
前記遠隔無線通信モジュールの少なくとも一つが、一つ又はそれ以上の前記制御装置を認証することができるように製作されていることを特徴とする、請求項１０に記載の屋内微気候管理システム。
【請求項１２】
前記無線通信モジュールの少なくとも一つに、少なくとも一つの遠隔制御装置を自動周波数制御装置モジュールと同期化させることができるような補足製作がなされていることを特徴とする、請求項１１に記載の屋内微気候管理システム。
【請求項１３】
前記遠隔無線通信モジュールの少なくとも一つに、遠隔無線通信モジュールに接続されている全ての遠隔制御装置を相互間で同期化させることができるような補足製作がなされていることを特徴とする、請求項１２に記載の屋内微気候管理システム。
【請求項１４】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＮＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項１０から請求項１３のいずれか１項に記載の屋内微気候管理システム。
【請求項１５】
屋内微気候管理システムのステータス情報を含んだ産業用データ伝送プロトコルのデータパケットを含むＴＣＰプロトコルのデータパケットを、屋内微気候管理システムの無線通信モジュールから受信できるように製作されたＷｉ−Ｆｉ送受信機、
屋内微気候管理システムのブルートゥース無線通信モジュールから、屋内微気候管理システムのステータス情報を含んだ産業用データ伝送プロトコルのデータパケットを含むブルートゥース・プロトコルのデータパケットを受信できるように製作された、ブルートゥース送受信機、および、
受け取られたＴＣＰプロトコルのデータパケット又は受け取られたブルートゥース・プロトコルのデータパケットを解凍することができ、そのデータから、屋内微気候管理システムのステータス情報を含む、産業用データ伝送プロトコルのデータパケットを抽出することができるように製作された演算ブロックを含む、屋内微気候管理システムの遠隔制御装置であって
屋内微気候管理システムのステータス情報を提供できるように製作された少なくとも１つの出力モジュール、および、前記演算ブロックに対して、産業用データ伝送プロトコルのデータパケットを生成するコマンドを出すことができるように製作された、少なくとも一つの入力モジュール、または、
屋内微気候管理システムのステータス情報を提供することができ、前記演算ブロックに対して、産業用データ伝送プロトコルのデータパケットの生成コマンドを出すことができるように製作された、少なくとも一つの入出力モジュールを含み、
前記演算ブロックは、屋内微気候管理システムの希望条件についての情報が含まれた、産業用データ伝送プロトコルのデータパケットを生成することができ、生成された産業用データ伝送プロトコルのデータパケットをＴＣＰプロトコルのデータパケットへカプセル化し、ＴＣＰプロトコル制御データパケットを生成することができるように製作されており、
Ｗｉ−Ｆｉ送受信機は、生成された、ＴＣＰプロトコルの制御データパケットを、屋内微気候管理システムの無線通信モジュールに伝送することができるように製作されており、
ブルートゥース送受信機は、生成されたブルートゥース・プロトコルの制御データパケットを、屋内微気候管理システムの無線通信モジュールへ伝送することができるように製作されていることを特徴とする屋内微気候管理システムの遠隔制御装置。
【請求項１６】
装置ユーザーを認証するための認証モジュールを補足的に含んでいることを特徴とする、請求項１５に記載の屋内微気候管理システムの遠隔制御装置。
【請求項１７】
装置を、屋内微気候管理システムのその他の制御装置及び／又は屋内微気候管理システムの制御モジュールと同期化させるための同期化モジュールを補足的に含んでいることを特徴とする、請求項１６に記載の屋内微気候管理システムの遠隔制御装置。
【請求項１８】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項１５から請求項１７のいずれか１項に記載の屋内微気候管理システムの遠隔制御装置。
【請求項１９】
屋内微気候管理システムのステータス情報を含んだ産業用データ伝送プロトコルのデータパケットを含むブルートゥース・プロトコルのデータパケットを、屋内微気候管理システムの無線通信モジュールから受信できるように製作されているブルートゥース送受信機、および、
受け取られたブルートゥース・プロトコルのデータパケットを解凍することができ、このデータから、屋内微気候管理システムのステータス情報を含む、産業用データ伝送プロトコルのデータパケットを抽出することができるように製作されている演算ブロックを含む、屋内微気候管理システムの遠隔制御装置であって、
屋内微気候管理システムのステータス情報を提供することができるように製作されている少なくとも１つの出力モジュール、および、前記演算ブロックに、産業用データ伝送プロトコルのデータパケットの生成コマンドを出すことができるように製作されている、少なくとも一つの入力モジュール、または、
屋内微気候管理システムのステータス情報を提供することができ、前記演算ブロックに、産業用データ伝送プロトコルのデータパケットの生成コマンドを出すことができるように製作されている、少なくとも一つの入出力モジュールを含み、
前記演算ブロックは、屋内微気候管理システムの希望条件についての情報を含んでいる産業用データ伝送プロトコルのデータパケットを生成することができ、生成された、産業用データ伝送プロトコルのデータパケットをブルートゥース・プロトコルのデータパケットにカプセル化し、ブルートゥース・プロトコルの制御データパケットを生成することができるように製作されており、
ブルートゥース送受信機は、生成された、ブルートゥース・プロトコルの制御データパケットを、屋内微気候管理システムの無線通信モジュールへ伝送できるように製作されていることを特徴とする屋内微気候管理システムの遠隔制御装置。
【請求項２０】
装置ユーザー認証用の認証モジュールを補足的に含んでいることを特徴とする、請求項１９に記載の屋内微気候管理システムの遠隔制御装置。
【請求項２１】
装置を屋内微気候管理システムの制御モジュールと同期化させるための同期化モジュールを補足的に含んでいることを特徴とする、請求項２０に記載の屋内微気候管理システムの遠隔制御装置。
【請求項２２】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項１９から請求項２１のいずれか１項に記載の屋内微気候管理システムの遠隔制御装置。
【請求項２３】
屋内微気候管理システムの無線通信モジュールから、屋内微気候管理システムのステータス情報を含んだ産業用データ伝送プロトコルのデータパケットを含むＴＣＰプロトコルのデータパケットを受信できるように製作されている、Ｗｉ−Ｆｉ送受信機、および、
受け取られたＴＣＰプロトコルのデータパケットを解凍することができ、そのデータから、屋内微気候管理システムのステータス情報を含む産業用データ伝送プロトコルのデータパケットを抽出することができるように製作されている、演算ブロックを含む、屋内微気候管理システムの遠隔制御装置であって、
屋内微気候管理システムのステータス情報を提供することができるように製作されている、少なくとも一つの出力モジュール、および、前記演算ブロックに対して、産業用データ伝送プロトコルのデータパケットの生成コマンドを出すことができるように製作されている、少なくとも一つの入力モジュール、または、
屋内微気候管理システムのステータス情報を提供することができ、前記演算ブロックに対して、産業用データ伝送プロトコルのデータパケットの生成コマンドを出すことができるように製作されている、少なくとも一つの入出力モジュールを含み、
前記演算ブロックは、屋内微気候管理システムの希望条件についての情報を含む産業用データ伝送プロトコルのデータパケットを形成することができ、ＴＣＰプロトコルの制御データパケットを生成できるように製作されており、
Ｗｉ−Ｆｉ送受信機は、生成されたＴＣＰプロトコルの制御データパケットを、屋内微気候管理システムの無線通信モジュールへ伝送できるように製作されていることを特徴とする屋内微気候管理システムの遠隔制御装置。
【請求項２４】
装置ユーザーを認証するための認証モジュールを補足的に含んでいることを特徴とする、請求項２３に記載の屋内微気候管理システムの遠隔制御装置。
【請求項２５】
装置を屋内微気候管理システムのその他の制御装置と同期化させるための同期化モジュールを補足的に含んでいることを特徴とする、請求項２４に記載の屋内微気候管理システムの遠隔制御装置。
【請求項２６】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項２３から請求項２５のいずれか１項に記載の屋内微気候管理システムの遠隔制御装置。
【請求項２７】
請求項１５から請求項１８のいずれか１項に記載されている装置によって、請求項１から請求項１４のいずれか１項に記載されている屋内微気候管理システムの諸無線通信モジュールの走査が行われる段階（ただし、これらの無線通信モジュールは、前記装置の単数又は複数の送受信機が使用可能である範囲内に位置しているものとする）、
請求項１から請求項１４のいずれか１項に記載の屋内微気候管理システムのうちの適当な屋内微気候管理システムが前記装置によって選択され、選択されたシステムの無線通信モジュールの接続が設定される段階、
接続が設定された前記無線通信モジュールに、選択された屋内微気候管理システムのステータス情報を提供せよというコマンドが送られる段階、
前記装置の、対応する出力モジュール又は入出力モジュールによって、選択された屋内微気候管理システムのステータス情報が表示される段階、
前記装置の、対応する出力モジュール又は入出力モジュールによって、選択された屋内微気候管理システムの希望条件が指定され、前記装置の演算ブロックによって、産業用データ伝送プロトコルの制御データパケットが形成され、形成された、産業用データ伝送プロトコルの制御データパケットが、ＴＣＰプロトコルのデータパケット又はブルートゥース・プロトコルのデータパケットへカプセル化され、そのことによって、対応するＴＣＰプロトコルの制御データパケット又はブルートゥース・プロトコルの制御データパケットが生成され、対応する、生成されたＴＣＰプロトコル制御データパケット又は対応する、生成されたブルートゥース・プロトコル制御データパケットが、選択された屋内微気候管理システムの、対応する無線通信モジュールへ伝送される段階、
対応する前記無線通信モジュールによって、産業用データ伝送プロトコルの制御データパケットが、ＴＣＰプロトコル制御データパケット又はブルートゥース・プロトコル制御データパケットから抽出され、抽出された、産業用プロトコルに従った産業用データ伝送プロトコルの制御データパケットが、選択された屋内微気候管理システムの自動周波数制御装置モジュールへ伝送される段階、および、
対応する前記自動周波数制御装置モジュールによって、選択された屋内微気候管理システムの諸要素を制御するための制御信号が形成される段階を、実行するための、屋内微気候管理システムの制御方法。
【請求項２８】
前記装置において、ユーザーの認証が行われる認証段階を補足的に含むことを特徴とする、請求項２７に記載の屋内微気候管理システムの制御方法。
【請求項２９】
前記装置と、選択された屋内微気候管理システムの自動周波数制御装置モジュールとの、及び／又は屋内微気候管理システムのその他の遠隔制御装置との同期化段階を補足的に含むことを特徴とする、請求項２８に記載の屋内微気候管理システムの制御方法。
【請求項３０】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項２７から請求項２９のいずれか１項に記載の屋内微気候管理システムの制御方法。
【請求項３１】
請求項１９から請求項２２のいずれか１項に記載されている装置によって、請求項１から請求項９のいずれか１項に記載されている屋内微気候管理システムの諸無線通信モジュールの走査が行われる段階（ただし、これらの無線通信モジュールは、前記装置の単数又は複数の送受信機が使用可能である範囲内に位置しているものとする）、
請求項１から請求項９のいずれか１項に記載されている屋内微気候管理システムのうちの適当な屋内微気候管理システムが前記装置によって選択され、選択されたシステムの無線通信モジュールの接続が設定される段階、
接続が設定された前記無線通信モジュールに、選択された屋内微気候管理システムのステータス情報を提供せよというコマンドが送られる段階、
前記装置の、対応する出力モジュール又は入出力モジュールによって、選択された屋内微気候管理システムのステータス情報が表示される段階、
前記装置の対応する出力モジュール又は入出力モジュールによって、選択された屋内微気候管理システムの希望条件が指定され、前記装置の演算ブロックによって、産業用データ伝送プロトコルの制御データパケットが形成され、形成された、産業用データ伝送プロトコルの制御データパケットがブルートゥース・プロトコルのデータパケットへカプセル化され、そのことによって、ブルートゥース・プロトコルの制御データパケットが生成され、対応する、生成されたブルートゥース・プロトコル制御データパケットが、選択された屋内微気候管理システムの、対応する無線通信モジュールへ伝送される段階、
対応する前記無線通信モジュールによって、産業用データ伝送プロトコルの制御パケットが、ブルートゥース・プロトコル制御データパケットから抽出され、抽出された、産業用プロトコルに従った産業用データ伝送プロトコルの制御データパケットが、選択された屋内微気候管理システムの自動周波数制御装置モジュールへ伝送される段階、および、
対応する前記自動周波数制御装置モジュールによって、選択された屋内微気候管理システムの諸要素を制御するための制御信号が形成される段階を実行するための、屋内微気候管理システムの制御方法。
【請求項３２】
前記装置において、ユーザーの認証が行われる認証段階を補足的に含むことを特徴とする、請求項３１に記載の屋内微気候管理システムの制御方法。
【請求項３３】
前記装置と、選択された屋内微気候管理システムの自動周波数制御装置モジュールとの同期化段階を補足的に含むことを特徴とする、請求項３２に記載の屋内微気候管理システムの制御方法。
【請求項３４】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項３１から請求項３３のいずれか１項に記載の屋内微気候管理システムの制御方法。
【請求項３５】
請求項２３から請求項２６のいずれか１項に記載されている装置によって、請求項１から請求項５まで及び請求項１０から請求項１４のいずれか１項に記載されている屋内微気候管理システムの諸無線通信モジュールの走査が行われる段階（ただし、これらの無線通信モジュールは、前記装置の単数又は複数の送受信機が使用可能である範囲内に位置しているものとする）、
請求項１から請求項５まで及び請求項１０から請求項１４のいずれか１項に記載されている屋内微気候管理システムのうちの適当な屋内微気候管理システムが前記装置によって選択され、選択されたシステムの無線通信モジュールの接続が設定される段階、
接続が設定された前記無線通信モジュールに、選択された屋内微気候管理システムのステータス情報を提供せよというコマンドが送られる段階、
前記装置の、対応する出力モジュール又は入出力モジュールによって、選択された屋内微気候管理システムのステータス情報が表示される段階、
前記装置の対応する出力モジュール又は入出力モジュールによって、選択された屋内微気候管理システムの希望条件が指定され、前記装置の演算ブロックによって、産業用データ伝送プロトコルの制御データパケットが形成され、形成された、産業用データ伝送プロトコルの制御データパケットがＴＣＰプロトコルのデータパケットへカプセル化され、そのことによって、ＴＣＰプロトコルの制御データパケットが生成され、対応する、生成されたＴＣＰプロトコル制御データパケットが、選択された屋内微気候管理システムの、対応する無線通信モジュールへ伝送される段階、
対応する前記無線通信モジュールによって、産業用データ伝送プロトコルの制御パケットが、ＴＣＰプロトコル制御データパケットから抽出され、抽出された、産業用プロトコルに従った産業用データ伝送プロトコルの制御データパケットが、選択された屋内微気候管理システムの自動周波数制御装置モジュールへ伝送される段階、および、
対応する前記自動周波数制御装置モジュールによって、選択された屋内微気候管理システムの諸要素を制御するための制御信号が形成される段階を実行するための、屋内微気候管理システムの制御方法。
【請求項３６】
前記装置において、ユーザーの認証が行われる認証段階を補足的に含むことを特徴とする、請求項３５に記載の屋内微気候管理システムの制御方法。
【請求項３７】
前記装置と、選択された屋内微気候管理システムの自動周波数制御装置モジュールとの、及び／又は屋内微気候管理システムのその他の遠隔制御装置との同期化段階を補足的に含むことを特徴とする、請求項３６に記載の屋内微気候管理システムの制御方法。
【請求項３８】
産業用データ伝送プロトコルが、Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＥＴ、ＬＯＮ、ＬＯＮＷＯＲＫＳ、ＬＯＮＴＡＬＫ、ＥＩＢ、ＤＡＬＩからなるグループの中から選択されていることを特徴とする、請求項３５から請求項３７のいずれか１項に記載の屋内微気候管理システムの制御方法。
【考案の詳細な説明】
【技術分野】
【０００１】
本考案は、屋内微気候の遠隔管理のシステム、方法及び設備に関するものであり、任意の大きさの部屋における微気候の順応的、安定的管理のために適用できるものである。
【背景技術】
【０００２】
本考案にもっとも類似しているのは、屋内微気候管理システムの多数のトランスデューサー及びセンサーからの信号を受信し、処理するサーモスタットを含み、ユーザーの携帯機器を使用する屋内微気候管理システム（特許文献１）である。このシステムにおいては、これらのトランスデューサー及びセンサーは、屋内微気候管理システムの個々のユニットのステータス情報を収集し、制御信号を、前記サーモスタットを用いて屋内微気候管理システムの諸要素の制御ユニットに送信する。この際、システムの制御は、無線通信チャンネル、例えば、ブルートゥース又は広帯域ネットワークＷＡＮによってサーモスタットと接続しているユーザーの携帯機器によって行われる。
【先行技術文献】
【特許文献】
【０００３】
【特許文献１】米国特許第２０１２０３１０４１８号明細書
【考案の概要】
【考案が解決しようとする課題】
【０００４】
既知の屋内微気候管理システムの欠陥は、制御信号が直接サーモスタットに送られる結果、システム諸要素を建物内部に配置することが困難になるため、屋内微気候管理システムの可能性が限られてしまうこと、及び制御が、直接、汎用データ伝送プロトコルを介して行われるために、システム内信号送信の安定性が損なわれること、そして、システムの制御が、一つのタイプの無線接続を介して行われる点にある。
【０００５】
このほか、サーモスタットの通信モジュールは、微気候管理のために産業用データ伝送プロトコルを利用できるが、この場合、直接このプロトコルシステムによって機能するユニット又はモジュールへのデータパケットのリダイレクトが起こる。すなわち、このような制御方法は、安定的で効率的とは言い難い。というのも、この方法は、様々なタイプの制御パケットを生成する装置による、微気候管理システムの様々な成分の制御を意味し、それが今度は、このようなデータパケットの伝送の安定性に影響を与えるからである。このようなデータパケットは、制御データを含むデータパケットであって、制御データパケットではない。このようにして形成されたデータパケットの伝送に際しては、制御データパケットは、その中から制御データを抽出するために解読される。無線通信網による伝送過程で、このようなデータパケットが破壊されることもあり、そのために、このようなデータパケットに含まれる制御データの一体性が損なわれ、それに応じて、抽出される制御信号に歪みが生じ、屋内微気候管理システムの安定制御を行うことができなくなる。
【０００６】
前記のことを考慮し、本考案は、任意の広さの屋内における、順応的、安定的微気候管理システムの創出を目的とする。
【０００７】
本考案の実施形態は、それぞれ、屋内微気候管理システム、屋内微気候管理方法及び屋内微気候管理装置に関連する。
【課題を解決するための手段】
【０００８】
一つの実施局面において、本考案は、少なくとも一つ又はそれ以上のプロセッサーを含んでいる、一つ又はそれ以上の自動周波数制御装置モジュールを含む屋内微気候管理システムに関連し、その際、この自動周波数制御装置モジュールは、屋内微気候管理システムのステータスデータを含むデータパケットを生成し、それを産業用データ伝送プロトコルによって、一つ又はそれ以上の遠隔無線通信モジュールに伝送することができるように製作されている。この際、この一つ又はそれ以上の遠隔無線通信モジュールは、ブルートゥース・プロトコルのデータパケットを生成し（このブルートゥース・プロトコルのデータパケットには、自動周波数制御装置モジュールから受け取られたデータパケットが含まれている）、生成されたブルートゥース・プロトコルのデータパケットを遠隔制御装置の一つに無線通信ラインによって伝送することができるように製作されている。また、一つ又はそれ以上の遠隔制御装置は、前記ブルートゥース・プロトコルのデータパケットを受信し、屋内微気候管理システムのステータスデータを抽出するために解凍し、ブルートゥース・プロトコルの制御データパケット（このブルートゥース・プロトコルのデータパケットには、屋内微気候管理システムを制御するデータパケットが含まれている）を生成し、生成されたブルートゥース・プロトコルの制御データパケットを遠隔無線通信モジュールの一つに伝送することができるように製作されている。この際、各々の遠隔無線通信モジュールは、遠隔制御装置から受け取られたブルートゥース・プロトコルの制御データパケットを、屋内微気候管理システムの制御データパケットを抽出するために解凍し、産業用データ伝送プロトコルによって、屋内微気候管理システムの前記管理データパケットを自動周波数制御装置モジュールへ伝送できるように製作されている。この際、自動周波数制御装置モジュールの一つ又はそれ以上のプロセッサーは、少なくとも一つの遠隔無線通信モジュールから受け取られたデータパケットを、微気候管理システムの制御データパケットを抽出するために解凍し、屋内微気候管理システムの作動条件を変えるための制御信号を生成することができるように製作されている。
【０００９】
他の実施局面において、本考案は、少なくとも一つ又はそれ以上のプロセッサーを含んでいる一つ又はそれ以上の自動周波数制御装置モジュールを含む屋内微気候管理システムに関連し、その際、この自動周波数制御装置モジュールは、屋内微気候管理システムのステータスデータを含むデータパケットを生成し、それを産業用データ伝送プロトコルによって、一つ又はそれ以上の遠隔無線通信モジュールに伝送することができるように製作されている。この際、この一つ又はそれ以上の遠隔無線通信モジュールは、ＴＣＰプロトコルのデータパケットを生成し（このＴＣＰプロトコルのデータパケットには、自動周波数制御装置モジュールから受け取られたデータパケットが含まれている）、生成されたＴＣＰプロトコルのデータパケットを一つ又はそれ以上の遠隔制御装置に無線通信ラインによって伝送することができるように製作されている。また、一つ又はそれ以上の遠隔制御装置は、前記ＴＣＰプロトコルのデータパケットを受信し、屋内微気候管理システムのステータスデータを抽出するために解凍し、ＴＣＰプロトコルの制御データパケット（このＴＣＰプロトコルのデータパケットには、屋内微気候管理システムを制御するデータパケットが含まれている）を生成し、生成されたＴＣＰプロトコルの制御データパケットを遠隔無線通信モジュールの一つに伝送することができるように製作されている。この際、各々の遠隔無線通信モジュールは、遠隔制御装置から受け取られたＴＣＰプロトコルの制御データパケットを、屋内微気候管理システムの制御データパケットを抽出するために解凍し、産業用データ伝送プロトコルによって、屋内微気候管理システムの前記管理データパケットを自動周波数制御装置モジュールへ伝送できるように製作されている。この際、自動周波数制御装置モジュールの一つ又はそれ以上のプロセッサーは、少なくとも一つの遠隔無線通信モジュールから受け取られたデータパケットを、微気候管理システムの制御データパケットを抽出するために解凍し、屋内微気候管理システムの作動条件を変えるための制御信号を生成することができるように製作されている。
【００１０】
他の実施局面において、本考案は、少なくとも一つ又はそれ以上のプロセッサーを含んでいる一つ又はそれ以上の自動周波数制御装置モジュールを含む屋内微気候管理システムに関連し、その際、この自動周波数制御装置モジュールは、屋内微気候管理システムのステータスデータを含むデータパケットを生成し、それを産業用データ伝送プロトコルによって、一つ又はそれ以上の遠隔無線通信モジュールに伝送することができるように製作されている。この際、この一つ又はそれ以上の遠隔無線通信モジュールは、ＴＣＰプロトコルのデータパケット及びブルートゥース・プロトコルのデータパケットを生成し（このＴＣＰプロトコルのデータパケット及びブルートゥース・プロトコルのデータパケットには、自動周波数制御装置モジュールから受け取られたデータパケットが含まれている）、生成されたＴＣＰプロトコルのデータパケット及び生成されたブルートゥース・プロトコルのデータパケットを無線通信ラインによって、一つ又はそれ以上の遠隔制御装置に伝送することができるように製作されている。また、一つ又はそれ以上の遠隔制御装置は、ＴＣＰプロトコルの前記データパケット又はブルートゥース・プロトコルの前記データパケットを受信し、屋内微気候管理システムのステータスデータを抽出するためにそれを解凍し、ＴＣＰプロトコルの制御データパケット又はブルートゥース・プロトコルの制御データパケット（この生成された、ＴＣＰプロトコルの制御データパケット及び生成された、ブルートゥース・プロトコルの制御データパケットには、屋内微気候管理システムを制御するデータパケットが含まれている）を生成し、生成された、ＴＣＰプロトコルの制御データパケット又は生成された、ブルートゥース・プロトコルの制御データパケットを一つ又はそれ以上の遠隔無線通信モジュールに伝送することができるように製作されている。この際、各々の遠隔無線通信モジュールは、遠隔制御装置から受け取られたＴＣＰプロトコルの制御データパケット及び、ブルートゥース・プロトコルの制御データパケットを、屋内微気候管理システムの制御データパケットを抽出するために解凍し、産業用データ伝送プロトコルによって、屋内微気候管理システムの前記管理データパケットを自動周波数制御装置モジュールへ伝送できるように製作されている。この際、自動周波数制御装置モジュールの一つ又はそれ以上のプロセッサーは、少なくとも一つの遠隔無線通信モジュールから受け取られたデータパケットを、微気候管理システムの制御データパケットを抽出するために解凍し、屋内微気候管理システムの作動条件を変えるための制御信号を生成することができるように製作されている。
【００１１】
他の実施局面において、本考案は、以下のものを含む、屋内微気候管理システムの遠隔制御装置に関連する：  屋内微気候管理システムのステータス情報を含んでいる産業用データ伝送プロトコルのデータパケットを含むブルートゥース・プロトコルのデータパケットを屋内微気候管理システムの無線通信モジュールから受信することができるように製作された、少なくとも、ブルートゥース送受信機；  受け取られたブルートゥース・プロトコルのデータパケットを解凍することができ、その中から、屋内微気候管理システムのステータス情報を含む、産業用データ伝送プロトコルのデータパケットを抽出することができるように製作された演算ブロック；  及び、又は、屋内微気候管理システムのステータス情報を提供できるように製作された、少なくとも一つの出力モジュール；産業用データ伝送プロトコルのデータパケット形成コマンドを、前記演算ブロックに出すことができるように製作された、少なくとも一つの入力モジュール；  又は、屋内微気候管理システムのステータス情報を提供できるように製作され、産業用データ伝送プロトコルのデータパケット形成コマンドを、前記演算ブロックに出すことができるように製作された、少なくとも一つの入出力モジュール。この際、前記演算ブロックは、屋内管理システムの希望条件に関する情報を含んでいる産業用データ伝送プロトコルのデータパケットを形成することができ、前記形成された、産業用データ伝送プロトコルのデータパケットをブルートゥース・プロトコルのデータパケットへカプセル化し、ブルートゥース・プロトコルの制御データパケットを生成することができるように製作されている。また、ブルートゥース送受信機は、生成された、ブルートゥース・プロトコルの制御データパケットを屋内微気候管理システムの無線通信モジュールへ伝送することができるように製作されている。
【００１２】
他の実施局面において、本考案は、以下のものを含む、屋内微気候管理システムの遠隔制御装置に関連する：  屋内微気候管理システムのステータス情報を含んでいる産業用データ伝送プロトコルのデータパケットを含むＴＣＰプロトコルのデータパケットを屋内微気候管理システムの無線通信モジュールから受信することができるように製作された、少なくとも、Ｗｉ−Ｆｉ送受信機；  受け取られたＴＣＰプロトコルのデータパケットを解凍することができ、その中から、屋内微気候管理システムのステータス情報を含む、産業用データ伝送プロトコルのデータパケットを抽出することができるように製作された演算ブロック；  及び、又は、屋内微気候管理システムのステータス情報を提供できるように製作された、少なくとも一つの出力モジュール；  産業用データ伝送プロトコルのデータパケット形成コマンドを、前記演算ブロックに出すことができるように製作された、少なくとも一つの入力モジュール；  又は、屋内微気候管理システムのステータス情報を提供できるように製作され、産業用データ伝送プロトコルのデータパケット形成コマンドを、前記演算ブロックに出すことができるように製作された、少なくとも一つの入出力モジュール。この際、前記演算ブロックは、屋内管理システムの希望条件に関する情報を含んでいる産業用データ伝送プロトコルのデータパケットを形成することができ、前記形成された、産業用データ伝送プロトコルのデータパケットをＴＣＰプロトコルのデータパケットへカプセル化し、ＴＣＰプロトコルの制御データパケットを生成することができるように製作されている。また、Ｗｉ−Ｆｉ送受信機は、生成された、ＴＣＰプロトコルの制御データパケットを屋内微気候管理システムの無線通信モジュールへ伝送することができるように製作されている。
【００１３】
他の実施局面において、本考案は、以下のものを含む、屋内微気候管理システムの遠隔制御装置に関連する：  屋内微気候管理システムのステータス情報を含んでいる産業用データ伝送プロトコルのデータパケットを含むＴＣＰプロトコルのデータパケットを屋内微気候管理システムのＷｉ−Ｆｉ無線通信モジュールから受信することができるように製作された、少なくとも、Ｗｉ−Ｆｉ送受信機；  屋内微気候管理システムのブルートゥース無線通信モジュールから、屋内微気候管理システムのステータス情報を含んだ、産業用データ伝送プロトコルのデータパケットを含むブルートゥース・プロトコルのデータパケットを受信できるように製作されたブルートゥース送受信機；  受け取られたＴＣＰプロトコルのデータパケット又は受け取られたブルートゥース・プロトコルのデータパケットを解凍することができ、その中から、屋内微気候管理システムのステータス情報を含む、産業用データ伝送プロトコルのデータパケットを抽出することができるように製作された演算ブロック；  及び、又は、屋内微気候管理システムのステータス情報を提供できるように製作された、少なくとも一つの出力モジュール；  産業用データ伝送プロトコルのデータパケット形成コマンドを、前記演算ブロックに出すことができるように製作された、少なくとも一つの入力モジュール；  又は、屋内微気候管理システムのステータス情報を提供できるように製作され、産業用データ伝送プロトコルのデータパケット形成コマンドを、前記演算ブロックに出すことができるように製作された、少なくとも一つの入出力モジュール。この際、前記演算ブロックは、屋内管理システムの希望条件に関する情報を含んでいる産業用データ伝送プロトコルのデータパケットを形成することができ、前記形成された、産業用データ伝送プロトコルのデータパケットをＴＣＰプロトコルのデータパケット及びブルートゥース・プロトコルのデータパケットへカプセル化し、ＴＣＰプロトコルの制御データパケット及びブルートゥース・プロトコルの制御データパケットを生成することができるように製作されている。また、Ｗｉ−Ｆｉ送受信機は、生成された、ＴＣＰプロトコルの制御データパケットを屋内微気候管理システムのＷｉ−Ｆｉ無線通信モジュールへ伝送することができるように製作されている。ブルートゥース送受信機は、生成された、ブルートゥース・プロトコルの制御データパケットを屋内微気候管理システムのブルートゥース無線通信モジュールへ伝送できるように製作されている。
【考案の効果】
【００１４】
技術的効果は、産業用データ伝送プロトコルのデータパケットをブルートゥース・プロトコルのデータパケットへ、及び（又は）ＴＣＰプロトコルのデータパケットへカプセル化することによって、屋内微気候管理システムの制御効率が向上し、そのことによって、屋内微気候管理システムの遠隔制御が可能となる点にある。この際、システム制御のために、屋内微気候管理システムの自動周波数制御装置モジュールの直近に制御装置を配置する必要がなく、このことによっても、屋内微気候管理システム制御の順応性及び安定性が高まる。その他の技術的効果としては、ブルートゥースのデータパケット及び（又は）ＴＣＰプロトコルのデータパケットへ丸ごとカプセル化された産業用データ伝送プロトコルのデータパケットが伝送されることによって、また、伝送される産業用データ伝送プロトコルのデータパケットが、屋内微気候管理システム内部で伝送されるデータパケットにとって生来のものであることによって、屋内微気候管理システムの安定性が高まり、そのことによって、パケットの不伝送又は、屋内微気候管理システム内において直接行われる不正確な解凍の可能性が排除される点にある。
【図面の簡単な説明】
【００１５】
【図１】ブルートゥース接続を用いた屋内微気候管理システムの一般配置図を示す。
【図２】Ｗｉ−Ｆｉ接続を用いた屋内微気候管理システムの一般配置図を示す。
【図３】ブルートゥース／ＷｉＦｉ接続を用いた屋内微気候管理システムの一般配置図を示す。
【図４】屋内微気候のブルートゥース制御装置の一般配置図を示す。
【図５】屋内微気候のＷｉ−Ｆｉ制御装置の一般配置図を示す。
【図６】屋内微気候のブルートゥース／Ｗｉ−Ｆｉ制御装置の一般配置図を示す。
【図７】屋内微気候管理方法４００の諸段階の一般配置図を示す。
【図８】屋内微気候管理方法５００の諸段階の一般配置図を示す。
【図９】屋内微気候管理方法６００の諸段階の一般配置図を示す。
【考案を実施するための形態】
【００１６】
図１から図３には、これに限られものではないが、実施の一例として、ブルートゥース接続、Ｗｉ−Ｆｉ接続及びそれら（ブルートゥース及びＷｉ−Ｆｉ）を組み合わせた接続をそれぞれに用いた、屋内微気候管理システム１００、２００、及び３００の一般配置図が示されている。システム１００、システム２００及びシステム３００は、それぞれ、自動周波数制御装置モジュール１０１、２０１及び３０１を含み、それらは、それぞれ、少なくとも、一つ又はそれ以上のプロセッサーを含み、産業用データ伝送プロトコルにより、屋内微気候管理システムのステータスデータを含むデータパケットを生成し、それを、一つ又はそれ以上の遠隔無線通信モジュール（それぞれ、システム１００、２００及び３００に組み込まれている無線通信モジュール１０２、２０２及び３０２）へ伝送する。この際、産業用データ伝送プロトコルとして用いることができるのは、既知の、任意の技術レベルの産業用データ伝送プロトコル、又は新たに創出された産業用データ伝送プロトコルであり、それらには、以下のものが含まれるが、これらに限られるものではない：  Ｐｒｏｆｉｂｕｓ、ＤｅｖｉｃｅＮｅｔ（ＣＩＰ）、ＣｏｎｔｒｏｌＮｅｔ（ＣＩＰ）、Ｆｏｕｎｄａｔｉｏｎ  ｆｉｅｌｄｂｕｓ  ＨＩ、ＣＡＮｏｐｅｎ、ＳＥＲＣＯＳ  Ｉ／ＩＩ、Ｍｏｄｂｕｓ、ＢＡＣｎｅｔ、ＤＮＥＴ、ＬＯＮ、ＬＯＮＷＯＲＫＳ、ＬＯＮＴＡＬＫ、ＥＩＢ、ＤＡＬＩ、その他。
【００１７】
この際、屋内微気候管理システムのステータスデータを含むデータパケットであるのは、このデータパケットの伝送が行われる、産業用データ伝送プロトコルのデータパケットである。この際、自動周波数制御装置のモジュール１０１、２０１及び３０１は、屋内微気候管理システムの諸要素の制御に適した、とくに換気装置の諸要素、加熱装置の諸要素、空調装置の諸要素その他の制御に適した、任意の、既知の技術レベルの自動周波数制御装置又は、新たに創出される自動周波数制御装置である。前記一つ又はそれ以上の自動周波数制御装置モジュール１０１、２０１及び３０１は、遠隔無線モジュール（それぞれ、システム１００、２００及び３００の遠隔無線通信モジュール１０２、２０２及び３０２）から、産業用データ伝送プロトコルの制御データパケットを受信することができ、受け取られた、産業用データ伝送プロトコルの制御データパケットを処理することができ、受け取られたデータにもとづき、屋内微気候管理システムの諸要素を制御するための制御信号を生成することができるように製作されている。前記遠隔無線通信モジュールは、この際、ブルートゥース・プロトコルのデータパケット及び／又はＴＣＰプロトコルのデータパケット（これらのデータパケットには、自動周波数制御装置モジュールから受け取られたデータパケットが含まれている）を生成することができ、無線通信ラインによって、生成されたデータパケットを、遠隔制御装置（それぞれ、システム１００、２００及び３００の遠隔制御装置１０３、２０３及び３０３）に伝送することができるように製作されている。
【００１８】
遠隔無線通信モジュール１０２は、ブルートゥース通信モジュールである。遠隔無線通信モジュール２０２は、Ｗｉ−Ｆｉ通信モジュールである。そして、遠隔無線通信モジュール３０２は、ブルートゥース及びＷｉ−Ｆｉを組み合わせた通信モジュールである。前記遠隔無線通信モジュールには、一つ又はそれ以上のプロセッサーが含まれていて、それによって、遠隔無線通信モジュールは、それぞれの自動周波数制御装置モジュールから受け取られる産業用データ伝送プロトコルのデータパケットを識別し、受け取られた、産業用データ伝送プロトコルのデータパケットを、それぞれの、ブルートゥース・プロトコルのデータパケット又はＴＣＰプロトコルのデータパケットへカプセル化し、そのことによって、産業用データ伝送プロトコルのデータパケットを含むブルートゥース・プロトコルのデータパケット及び／又はＴＣＰプロトコルのデータパケットを生成する。
【００１９】
遠隔無線通信モジュール１０２には、一つ又はそれ以上のブルートゥースの送受信機が含まれている。遠隔無線通信モジュール２０２には、一つ又はそれ以上のＷｉ−Ｆｉ送受信機が含まれている。そして、遠隔無線通信モジュール３０２には、一つ又はそれ以上のブルートゥース送受信機、及び一つ又はそれ以上のＷｉ−Ｆｉ送受信機が同時に含まれている。前記送受信機により、生成された、ブルートゥース・プロトコルのデータパケット及び／又はＴＣＰプロトコルのデータパケットが、遠隔制御装置（それぞれ、システム１００、２００及び３００の遠隔制御装置１０３、２０３及び３０３）の一つに伝送される。このほか、前記遠隔無線通信モジュールは、屋内微気候管理システムで用いられている産業用データ伝送プロトコルに応じた距離だけ、前記自動周波数制御装置モジュール１０１、２０１又は３０１から遠隔に設置し、それらとデータ伝送ケーブルによって接続することもでき、又は、それぞれの自動周波数制御装置モジュール１０１、２０１又は３０１の中に内蔵することもできる。また、前記遠隔無線通信モジュールは、ほかの遠隔無線通信モジュールのそれぞれの自動周波数制御装置モジュールとの通信を保障するためのレトランスミッタとしても利用でき、そのことによって、屋内微気候管理システムを任意の面積において利用することができる。前記送受信機によって、遠隔無線通信モジュールは、ブルートゥース・プロトコルの制御データパケット及び／又はＴＣＰプロトコルの制御データパケットを受信する。前記遠隔無線通信モジュールの、前記一つ又はそれ以上のプロセッサーは、この際、受け取られた、ブルートゥース・プロトコルの制御データパケット又は、ＴＣＰプロトコルの制御データパケットにおいて、産業用データ伝送プロトコルの制御データパケットを識別することができ、それらのデータパケットを抽出できるような補足的製作行われている。抽出後、前記遠隔無線通信モジュールは、抽出された、産業用データ伝送プロトコルの制御データパケットをそれぞれの自動周波数制御装置モジュールに伝送する。遠隔無線通信モジュールは、また、前記遠隔制御装置を自動周波数制御装置モジュールと同期化させることができるように製作することもできる。遠隔無線通信モジュール２０２及び３０２にも、前記遠隔制御装置（複数）を相互間で同期化させることができるような補足製作を行うこともできる。このほか、前記無線通信モジュール１０２、２０２及び３０２は、それぞれの遠隔制御装置１０３、２０３及び３０３を、とりわけ暗号解読キーを用いて、認証できるように製作することができる。
【００２０】
遠隔制御装置１０３（図４）は、前記ブルートゥース・プロトコルのデータパケットを受信でき、屋内微気候管理システムのステータスデータを抽出するために、前記ブルートゥース・プロトコルのデータパケットを解凍することができ、ブルートゥース・プロトコルの制御データパケット（この際、ブルートゥース・プロトコルのデータパケットには、屋内微気候管理システムを制御するデータパケットが含まれている）を生成することができ、生成された、ブルートゥース・プロトコルの制御データパケットを、一つ又はそれ以上の遠隔無線通信モジュール１０２に伝送できるように製作されている。また、遠隔制御装置２０３（図５）は、前記ＴＣＰプロトコルのデータパケットを受信でき、屋内微気候管理システムのステータスデータを抽出するために、前記ＴＣＰプロトコルのデータパケットを解凍することができ、ＴＣＰプロトコルの制御データパケット（この際、ＴＣＰプロトコルのデータパケットには、屋内微気候管理システムを制御するデータパケットが含まれている）を生成することができ、生成された、ＴＣＰプロトコルの制御データパケットを、一つ又はそれ以上の遠隔無線通信モジュール２０２に伝送できるように製作されている。そして、遠隔制御装置３０３（図６）は、前記ブルートゥース・プロトコルのデータパケット又はＴＣＰプロトコルのデータパケットを受信でき、屋内微気候管理システムのステータスデータを抽出するために、前記ブルートゥース・プロトコルのデータパケット又はＴＣＰプロトコルのデータパケットを解凍することができ、設定された接続のタイプに応じて、ブルートゥース・プロトコルの制御データパケット又はＴＣＰプロトコルの制御データパケット（この際、前記制御データパケットには、屋内微気候管理システムを制御するデータパケットが含まれている）を生成することができ、生成された、前記制御データパケットを、一つ又はそれ以上の遠隔無線通信モジュール１０２、２０２又は３０２に伝送できるように製作されている。前記遠隔制御装置は、以下のものであるが、これらに限られるものではない：  スマートフォン、パーソナルコンピューター、タブレットパソコン、ファブレット、ポータブルゲーム機、ポケットポータブルコンピューター、ノートブック型パソコン、制御盤、その他。
【００２１】
前記遠隔制御装置は、それぞれ、以下のものを含む：遠隔装置１０３は、ブルートゥース送受信機１０３１を含み、これは、屋内微気候管理システム１００の遠隔無線通信モジュール１０２又は屋内微気候管理システム３００の無線通信モジュール３０２から、屋内微気候管理システムのステータス情報を含んだ産業用データ伝送プロトコルのデータパケットを含むブルートゥース・プロトコルのデータパケットを受信できるように製作されている。遠隔装置２０３は、Ｗｉ−Ｆｉ送受信機２０３１を含み、これは、屋内微気候管理システム２００の遠隔無線通信モジュール２０２又は屋内微気候管理システム３００の無線通信モジュール３０２から、屋内微気候管理システムのステータス情報を含んだ、産業用データ伝送プロトコルのデータパケットを含むＴＣＰプロトコルのデータパケットを受信できるように製作されている。遠隔装置３０３は、Ｗｉ−Ｆｉ送受信機３０３１及びブルートゥース送受信機３０３２を含み、前者は、屋内微気候管理システム２００の遠隔無線通信モジュール２０２又は屋内微気候管理システム３００の無線通信モジュール３０２から、屋内微気候管理システムのステータス情報を含んだ、産業用データ伝送プロトコルのデータパケットを含むＴＣＰプロトコルのデータパケットを受信できるように製作されており、後者のブルートゥース送受信機３０３２は、屋内微気候管理システム１００の遠隔無線通信モジュール１０２又は屋内微気候管理システム３００の遠隔無線通信モジュール３０２から、屋内微気候管理システムのステータス情報を含んだ産業用データ伝送プロトコルのデータパケットを含む、ブルートゥース・プロトコルのデータパケットを受信できるように製作されている。
【００２２】
前記ブルートゥース送受信機１０３１は、産業用データ伝送プロトコルの制御データファイルを含むブルートゥース・プロトコルの制御データパケットを、屋内微気候管理システム１００の無線通信モジュール１０２又は屋内微気候管理システム３００の無線通信モジュール３０２へ送信できるように製作されている。前記Ｗｉ−Ｆｉ送受信機２０３１は、産業用データ伝送プロトコルの制御データファイルを含むＴＣＰプロトコルの制御データパケットを、屋内微気候管理システム１００〔ママ〕の無線通信モジュール２０２又は屋内微気候管理システム３００の無線通信モジュール３０２へ送信できるように製作されている。前記送受信機３０３１及び３０３２は、それぞれ、産業用データ伝送プロトコルの制御データファイルを含むＴＣＰプロトコルの制御データパケットを、屋内微気候管理システム１００〔ママ〕の無線通信モジュール２０２又は屋内微気候管理システム３００の無線通信モジュール３０２へ送信できるように製作され（Ｗｉ−Ｆｉ送受信機３０３１）、又は産業用データ伝送プロトコルの制御データファイルを含む、ブルートゥース・プロトコルの制御データパケットを、屋内微気候管理システム１００の無線通信モジュール１０２又は屋内微気候管理システム３００の無線通信モジュール３０２へ送信できるように製作されている（ブルートゥース・プロトコルの３０３２）。
【００２３】
前記遠隔制御装置は、それぞれ、演算ブロック１０３２（遠隔制御装置１０３）及び演算ブロック２０３２（遠隔制御装置２０３）を含む。前記演算ブロック１０３２は、この際、ブルートゥース送受信機１０３１によって、遠隔無線通信モジュー１０２又は遠隔通信モジュール３０２から受け取ったブルートゥース・データパケットを解凍することができ、そのデータパケットから、屋内微気候管理システムのステータス情報を含む産業用データ伝送プロトコルのデータパケットを抽出できるように製作されている。また、前記演算ブロック２０３２は、Ｗｉ−Ｆｉ送受信機２０３１によって、遠隔無線通信モジュー２０２又は遠隔通信モジュール３０２から受け取った、ブルートゥース・データパケットを解凍することができ、そのデータパケットから、屋内微気候管理システムのステータス情報を含む産業用データ伝送プロトコルのデータパケットを抽出できるように製作されている。そして、前記演算ブロック３０３３は、この際、Ｗｉ−Ｆｉ送受信機３０３１によって、遠隔無線通信モジュー２０２又は遠隔通信モジュール３０２から受け取ったＴＣＰデータパケットを解凍することができるとともに、ブルートゥース送受信機３０３２によって、遠隔無線通信モジュー１０２又は遠隔通信モジュール３０２から受け取った、ブルートゥース・データパケットを解凍することができ、そのデータパケットから、屋内微気候管理システムのステータス情報を含む産業用データ伝送プロトコルのデータパケットを抽出できるように製作されている。演算ブロック１０３２、２０３２及び３０３３は、それぞれが、必要な演算及び変換を行う一つ又はそれ以上のプロセッサーを含んでいる。まさにこのプロセッサーによって、演算ブロック１０３２、２０３２及び３０３３は、屋内微気候管理システムの希望条件についての情報を含む、産業用データ伝送プロトコルのデータパケットを形成する。このうち、演算ブロック１０３２は、前記生成された、産業用データ伝送プロトコルのデータパケットを、ブルートゥース・プロトコルのデータパケットへカプセル化し、そのことによって、ブルートゥース・プロトコルの制御データパケットを生成し、演算ブロック２０３２は、前記生成された、産業用データ伝送プロトコルのデータパケットを、ＴＣＰプロトコルのデータパケットへカプセル化し、そのことによって、ＴＣＰプロトコルの制御データパケットを生成し、演算ブロック３０３３は、前記生成された、産業用データ伝送プロトコルのデータパケットを、ＴＣＰプロトコルのデータパケット及びブルートゥース・プロトコルのデータパケットへカプセル化し、そのことによって、ＴＣＰプロトコルの制御データパケット及びブルートゥース・プロトコルの制御データパケットをそれぞれ生成する。
【００２４】
前記遠隔制御装置には、それぞれ、記憶装置１０３５（遠隔制御装置１０３）、記憶装置２０３５（遠隔制御装置２０３）及び記憶装置３０３６（遠隔制御装置３０３）が含まれている。形成された三つの産業用データ伝送プロトコルのデータパケットは、それぞれの制御データパケットを選択し、形成するために、屋内微気候管理システムの遠隔管理装置１０３、２０３及び３０３の記憶装置１０３５、２０３５及び３０３６に、それぞれ保存される。
【００２５】
前記遠隔制御装置には、屋内微気候管理システムのステータス情報を提供できるように製作された、少なくとも一つの出力モジュール１０３３（遠隔制御装置１０３）、少なくとも一つの出力モジュール２０３３（遠隔制御装置２０３）、少なくとも一つの出力モジュール３０３４（遠隔制御装置３０３）が、それぞれに含まれている。前記出力モジュール１０３３、２０３３及び３０３４は、スマートフォン、又はタブレットパソコン、又はファブレット、又はポケットポータブルパソコン、又はノートブック型パソコン、又は制御盤、又はパーソナルコンピューター、又はポータブルゲーム機に備わっている、情報の提示、表示及び再生用機器のうち、以下のような典型的で、既知のレベルの機器に相当するが、これらに限られるわけではない：  スクリーン、ディスプレイ、タッチディスプレイ、モニター、プロジェクター、プリンター、その他の、屋内微気候管理システムのステータス情報の提示、表示又は再生を行うことができる器機。
【００２６】
前記遠隔制御装置には、少なくとも一つの入力モジュール１０３４（遠隔制御装置１０３）、少なくとも一つの入力モジュール２０３４（遠隔制御装置２０３）、少なくとも一つの入力モジュール３０３５（遠隔制御装置３０３）がそれぞれ、含まれている。前記入力モジュール１０３４、２０３４及び３０３５は、スマートフォン、又はタブレットパソコン、又はファブレット、又はポケットポータブルパソコン、又はノートブック型パソコン、又は制御盤、又はパーソナルコンピューター、又はポータブルゲーム機に備わっている、制御機器のうち、以下のような典型的で、既知のレベルの機器である：  キーボード、ジョイスティック、タッチパッド、トラックボール、マウス、タッチディスプレイ及びその他の、ユーザーがそれを用いて、屋内微気候管理システムの希望条件を指定するためのコマンドを出すことができ、そのことにもとづき、それぞれの演算ブロック１０３２、２０３２又は３０３３によって、産業用データ伝送プロトコルの制御データパケットが形成又は選択される器機。このほか、入力モジュール１０３４、２０３４又は３０３５がタッチディスプレイである場合、このタッチディスプレイは、出力モジュール１０３３、２０３３及び３０３４としても使用できること、すなわち、それらのモジュールは、それぞれ、入出力モジュール１０３４−１０３３、２０３４−２０３３又は３０３５−３０３４であるということは、この技術分野の専門家にとっては、明白であるに違いない。
【００２７】
屋内微気候管理システムの遠隔制御装置１０３、２０３及び３０３に認証モジュールを補足的に含め、パスワード認証、サイン・ピクチャー認証、音声認証、１本の指の指紋（複数の指の指紋）による認証、目の網膜による認証などの、ただし、これらの方法に限られものではないが、任意の、既知のレベルの認証方法によって、遠隔制御装置１０３、２０３又は３０３のユーザーを認証できるようにすることができる。このほか、屋内微気候管理システムの遠隔制御装置１０３、２０３及び３０３に、以下のような同期化を行うことができる同期化モジュールを含めることができる：  屋内微気候管理システムの遠隔制御装置１０３の、屋内微気候管理システム１００又は３００にそれぞれ対応する自動周波数制御装置モジュール１０１又は自動周波数制御装置モジュール３０１との同期化、屋内微気候管理システムの遠隔制御装置２０３の、ほかの屋内微気候制御装置２０３又は３０３との、及び／又は屋内微気候管理システム２００又は３００にそれぞれ対応する自動周波数制御装置モジュール２０１又は自動周波数制御装置モジュール３０１との同期化、屋内微気候管理システムの遠隔制御装置３０３の、ほかの屋内微気候遠隔制御装置２０３又は３０３との同期化、及び／又は屋内微気候管理システム１００、２００又は３００にそれぞれ対応する自動周波数制御装置モジュール１０１、２０１又は３０１との同期化。
【００２８】
前記屋内微気候管理システムの遠隔制御装置１０３、２０３及び３０３が、スマートフォン、又はタブレットパソコン、又はファブレット、又はポケットポータブルパソコン、又はノートブック型パソコン、又は制御盤、その他の機器の一つである場合、それぞれの装置の諸要素も同様に、スマートフォン、又はタブレットパソコン、又はファブレット、又はポケットポータブルパソコン、又はノートブック型パソコン、又は制御盤の同一ケース内に収められる。
【００２９】
図７から図９には、それだけに限定されるものではないが、実施例として、屋内微気候管理システムの制御方法４００、５００及び６００にそれぞれ対応する諸段階の一般配置図が示されている。それぞれの任意選択的認証段階４０１１、５０１１及び６０１１において、それぞれの遠隔制御装置１０３、２０３及び３０３でユーザーが認証され、認証が首尾よく行われたのち、それぞれに対応する走査段階４０１、５０１又は６０１において、それぞれの無線通信モジュール１０３、２０３又は３０３が、屋内微気候管理システム１００、２００及び３００のそれぞれの無線通信モジュール１０２、２０２及び３０２の走査を行い、少なくとも一つのタイプの屋内微気候管理システムを決定する。このようにして、屋内微気候管理システムの遠隔制御装置１０３、２０３又は３０３によって、それに対応する屋内微気候管理システム１００、２００及び３００の選択的制御が行われる。接続段階４０２、５０２又は６０２において、屋内微気候管理システムのタイプが決定され、そのシステムが選択されたのち、屋内微気候管理システムの遠隔制御装置１０３が、（選択された、それぞれ、屋内微気候管理システム１００又は３００の範囲内で、）無線通信モジュール１０２及び３０２のうちの何れを用いればブルートゥース接続がより確実に、安定して機能するかを決定し、こののち、無線通信モジュール１０２及び３０２のうちの何れかを用いたブルートゥース接続を設定する。また、屋内微気候管理システムの遠隔制御装置２０３は、（選択された、それぞれ、屋内微気候管理システム２００又は３００の範囲内で、）無線通信モジュール２０２及び３０２のうちの何れを用いればＷｉ−Ｆｉ接続がより確実に、安定して機能するかを決定し、こののち、無線通信モジュール２０２及び３０２のうちの何れかを用いたＷｉ−Ｆｉ接続を設定する。そして、屋内微気候管理システムの遠隔制御装置３０３は、（選択された、それぞれ、屋内微気候管理システム１００、２００又は３００の範囲内で、）無線通信モジュール１０２、２０２及び３０２のうちの何れを用いれば、それに対応するＷｉ−Ｆｉ接続又はブルートゥース接続がより確実に、安定して機能するかを決定し、こののち、無線通信モジュール２０２及び３０２のうちの何れかを用いたＷｉ−Ｆｉ接続又は無線通信モジュール１０２及び３０２のうちの何れかを用いたブルートゥース接続を設定する。接続が設定されたのち、任意選択的同期化段階４０３３、５０３３又は６０３３において、屋内微気候管理システムの遠隔制御装置１０３が、選択された、屋内微気候管理システム１００又は３００の無線通信モジュール１０２又は３０２を介して、対応する自動周波数制御装置モジュール１０１又は３０１によって、任意選択的に同期化される。また、屋内微気候管理システムの遠隔制御装置２０３が、選択された、屋内微気候管理システム２００又は３００の無線通信モジュール２０２又は３０２を介して、対応する自動周波数制御装置モジュール２０１又は３０１によって、及び／又は屋内微気候管理システム２００又は３００に接続された、屋内微気候管理システムの、その他の制御装置によって、任意選択的に同期化される。そして、屋内微気候管理システムの遠隔制御装置３０３が、選択された、屋内微気候管理システム１００、２００又は３００の無線通信モジュール１０２、２０２又は３０２を介して、対応する自動周波数制御装置モジュール１０１、２０１又は３０１によって、及び／又は屋内微気候管理システム２００又は３００に接続された、屋内微気候管理システムの、その他の制御装置によって、任意選択的に同期化される。この際、屋内微気候管理システムの制御装置２０３及び３０３の同期化が、選択された屋内微気候管理システムに対応するその他の制御装置を用いて、無線通信モジュール２０２及び３０２によって行われるだけでなく、これらのモジュールを用いずにも行われ得ること、ただし、この場合、同期化は、Ｗｉ−Ｆｉ送受信装置によって、装置自身の間で行われることは、言及に値する。
【００３０】
照会段階４０３、５０３及び６０３において、屋内微気候管理システムの遠隔制御装置１０３、２０３及び３０３は、無線通信モジュール１０２、２０２又は３０２によって、屋内微気候管理システムのステータスデータを照会し、対応する送受信機を介して、対応する無線通信モジュールから、屋内微気候管理システムのステータス情報を含んだ、産業用データ伝送プロトコルのデータパケットを含むＴＣＰプロトコルのデータパケット又はブルートゥース・プロトコルのデータパケットを受け取る。
【００３１】
表示段階４０４、５０４及び６０４において、受け取られたＴＣＰプロトコルのデータパケット又はブルートゥース・プロトコルのデータパケットを処理したのち、対応する演算ブロック１０３２、２０３２又は３０３３によって、システムのカレントステータス情報が、対応する出力モジュール１０３３、２０３３又は３０３４、又は対応する入出力モジュール１０３４−１０３３、２０３４−２０３３又は３０３５−３０３４（例えば、タッチスクリーンが入出力モジュールである場合）を用いてユーザーに表示される。
【００３２】
さらに、条件指定段階４０５、５０５及び６０６において、ユーザーは、対応する入力モジュール１０３４、２０３４又は３０３５を用いて、又は対応する入出力モジュール１０３４−０３３、２０３４−２０３３又は３０３５−３０３４（例えば、タッチスクリーンが入出力モジュールである場合）を用いて、対応する演算ブロック１０３２、２０３２又は３０３３へ屋内微気候管理システムの希望条件を指定するコマンドを送り、このコマンドにもとづき、対応する演算ブロック１０３２、２０３２又は３０３３によって、対応する記憶装置１０３５、２０３５又は３０３６から産業用データ伝送プロトコルの制御データパケットが形成され、これらのデータパケットは、この後、対応するＴＣＰプロトコルのデータパケット又はブルートゥース・プロトコルのデータパケットにカプセル化され、そのことによって、ＴＣＰプロトコルの制御データパケット又はブルートゥース・プロトコルの制御データパケットが生成される。
【００３３】
さらに伝送段階４０６、５０６及び６０６において、対応する、生成されたＴＣＰプロトコルの制御データパケット又は生成されたブルートゥース・プロトコルの制御データパケットが、対応する送受信機によって、選択された屋内微気候管理システム１００、２００又は３００の、対応する無線通信モジュール１０２、２０２又は３０２へ伝送される。こののち、抽出段階４０７、５０７又は６０７において、産業用データ伝送プロトコルの制御データパケットが、無線通信モジュール１０２、２０２又は３０３によって、対応する、受け取られた、生成されたＴＣＰプロトコルの制御データパケット又は対応する、受け取られた、生成されたブルートゥース・プロトコルの制御データパケットから抽出され、データ伝送ケーブルによって、対応する自動周波数制御装置モジュール１０１、２０１又は３０１に伝送され、そこで、対応する、制御信号形成段階４０８、５０８又は６０８において処理され、屋内微気候管理システムの対応する諸要素に伝送され、そのことによって、システムの条件が、希望された条件となる。遠隔制御装置１０３、２０３及び３０３が、ＴＣＰプロトコルのデータパケットの、対応する構成における、又はブルートゥース・プロトコルのデータパケットの、対応する構成における制御データパケットを伝送することによって、屋内微気候管理システムの確実な制御が保障される。
【００３４】
屋内微気候管理システムの制御の順応性は、屋内微気候管理システムの遠隔制御装置１０３、２０３又は３０３として、特殊なＷｉ−Ｆｉ又はブルートゥース制御盤を初めとし、スマートフォンのような通常のモバイル装置に至るまでの、任意の適当な装置を用いることができることによって保障される。屋内微気候管理システムの順応性は、屋内微気候管理システムの遠隔制御装置１０３、２０３又は３０３が、様々な屋内微気候管理システムにおいて利用されている様々な無線通信モジュールと接続することができ、無線接続の最良のタイプを選択することができ、屋内微気候管理システムのタイプさえ選択できるようになっていることによっても、補足的に保障される。
【００３５】
考案の実施に関する本明細書は、考案の実施案のほんの一部分を示しているに過ぎず、本考案のその他の実施案を制限するものではない。というのも、本特許申請書で述べられている情報の枠を超えない形の本考案の実施代替え案は、本考案が念頭に置いている、通常の技能熟練度を有する、技術分野の専門家にとっては、明白であるに違いないからである。
【図１】
0003214776.tif 000003
【図２】
0003214776.tif 000004
【図３】
0003214776.tif 000005
【図４】
0003214776.tif 000006
【図５】
0003214776.tif 000007
【図６】
0003214776.tif 000008
【図７】
0003214776.tif 000009
【図８】
0003214776.tif 000010
0003214776.tif 000011
【手続補正書】
【提出日】平成29年11月2日(2017.11.2)
【手続補正１】
【補正対象書類名】実用新案登録請求の範囲
【補正対象項目名】全文
【補正方法】変更
【補正の内容】
【実用新案登録請求の範囲】
【請求項１】
加熱、換気、空調（ＨＶＡＣ）装置、
少なくとも一つ以上のプロセッサーを含み、屋内微気候管理システムのステータスデータを含むステータスデータパケットを生成する自動周波数制御装置モジュール、
前記自動周波数制御装置モジュールと接続され、前記ステータスデータパケットを含む、通信制御プロトコルＴＣＰのデータパケット及びブルートゥース（登録商標）プロトコルのデータパケットを生成する、一つ以上の遠隔無線通信モジュール、および、
前記遠隔無線通信モジュールと無線通信ラインで接続され、ＴＣＰプロトコルの前記データパケット又はブルートゥース(登録商標)・プロトコルの前記データパケットを受信する遠隔制御装置を含む、屋内微気候管理システムであって、
前記遠隔無線通信モジュールは、Ｗｉ−Ｆｉおよびブルートゥース（登録商標）を組み合わせた通信モジュールであり、
前記遠隔制御装置は、Ｗｉ−Ｆｉ送受信機、ブルートゥース（登録商標）送受信機、および、演算ブロック、を備え、さらに、出力モジュールおよび入力モジュール、または、入出力モジュールを備え、ＴＣＰプロトコルの前記データパケット又はブルートゥース（登録商標）・プロトコルの前記データパケットを解凍して、前記屋内微気候管理システムのステータスデータを抽出し、前記屋内微気候管理システムの管理データパケットを含む、ＴＣＰプロトコルの管理データパケット又はブルートゥース（登録商標）・プロトコルの管理データパケットを生成し、
前記自動周波数制御装置モジュールは、前記遠隔無線通信モジュールを介して得られたＴＣＰプロトコルの管理データパケット又はブルートゥース（登録商標）・プロトコルの管理データパケットから屋内微気候管理システムの管理データを抽出し、前記加熱、換気、空調（ＨＶＡＣ）装置の作動条件を変えるための制御信号を生成することを特徴とする屋内微気候管理システム。
【請求項２】
前記遠隔制御装置が、装置ユーザーを認証するための認証モジュールを含んでいることを特徴とする、請求項１に記載の屋内微気候管理システム。
【請求項３】
前記遠隔制御装置が、装置を、屋内微気候管理システムのその他の制御装置及び／又は屋内微気候管理システムの制御モジュールと同期化させるための同期化モジュールを含んでいることを特徴とする、請求項２に記載の屋内微気候管理システム。
【請求項４】
加熱、換気、空調（ＨＶＡＣ）装置、
少なくとも一つまたはそれ以上のプロセッサーを含み、屋内微気候管理システムのステータスデータを含むデータパケットを生成する自動周波数制御装置モジュール、
前記自動周波数制御装置モジュールと接続され、前記ステータスデータパケットを含む、ブルートゥース（登録商標）・プロトコルのデータパケットを生成する、一つ又はそれ以上の遠隔無線通信モジュール、および、
前記遠隔無線通信モジュールと無線通信ラインで接続され、ブルートゥース（登録商標）・プロトコルの前記データパケットを受信する一つ又はそれ以上の遠隔制御装置を含む、屋内微気候管理システムであって、
前記遠隔無線通信モジュールは、ブルートゥース（登録商標）通信モジュールであり、
前記遠隔制御装置は、ブルートゥース（登録商標）送受信機、および、演算ブロック、を備え、さらに、出力モジュールおよび入力モジュール、または、入出力モジュールを備え、ブルートゥース（登録商標）・プロトコルの前記データパケットを解凍して、前記屋内微気候管理システムのステータスデータを抽出し、前記屋内微気候管理システムの管理データパケットを含む、ブルートゥース（登録商標）・プロトコルの管理データパケットを生成し、
前記自動周波数制御装置モジュールは、前記遠隔無線通信モジュールを介して得られたブルートゥース（登録商標）・プロトコルの管理データパケットから屋内微気候管理システムの管理データを抽出し、前記加熱、換気、空調（ＨＶＡＣ）装置の作動条件を変えるための制御信号を生成することを特徴とする屋内微気候管理システム。
【請求項５】
前記遠隔制御装置が、装置ユーザーを認証するための認証モジュールを含んでいることを特徴とする、請求項４に記載の屋内微気候管理システム。
【請求項６】
前記遠隔制御装置が、装置を、屋内微気候管理システムのその他の制御装置及び／又は屋内微気候管理システムの制御モジュールと同期化させるための同期化モジュールを含んでいることを特徴とする、請求項５に記載の屋内微気候管理システム。
【請求項７】
加熱、換気、空調（ＨＶＡＣ）装置、
少なくとも一つ又はそれ以上のプロセッサーを含み、屋内微気候管理システムのステータスデータを含むステータスデータパケットを生成する自動周波数制御装置モジュール、
前記自動周波数制御装置モジュールと接続され、前記ステータスデータパケットを含む、ＴＣＰプロトコルのデータパケットを生成する、一つ又はそれ以上の遠隔無線通信モジュール、および、
前記遠隔無線通信モジュールと無線通信ラインで接続され、前記ＴＣＰプロトコルのデータパケットを受信する一つ又はそれ以上の遠隔制御装置を含む、屋内微気候管理システムであって、
前記遠隔無線通信モジュールは、Ｗｉ−Ｆｉ通信モジュールであり、
前記遠隔制御装置は、Ｗｉ−Ｆｉ送受信機、および、演算ブロック、を備え、さらに、出力モジュールおよび入力モジュール、または、入出力モジュールを備え、ＴＣＰプロトコルの前記データパケットを解凍して、前記屋内微気候管理システムのステータスデータを抽出し、前記屋内微気候管理システムの管理データパケットを含む、ＴＣＰプロトコルの管理データパケットを生成し、
前記自動周波数制御装置モジュールは、前記遠隔無線通信モジュールを介して得られたＴＣＰプロトコルの管理データパケットから屋内微気候管理システムの管理データを抽出し、前記加熱、換気、空調（ＨＶＡＣ）装置の作動条件を変えるための制御信号を生成することを特徴とする屋内微気候管理システム。
【請求項８】
前記遠隔制御装置が、装置ユーザーを認証するための認証モジュールを含んでいることを特徴とする、請求項７に記載の屋内微気候管理システム。
【請求項９】
前記遠隔制御装置が、装置を、屋内微気候管理システムのその他の制御装置及び／又は屋内微気候管理システムの制御モジュールと同期化させるための同期化モジュールを含んでいることを特徴とする、請求項８に記載の屋内微気候管理システム。